(57)【要約】【課題】  監視対象者のエレベータの利用状況に基づいて、当該監視対象者の保護者による監視の支援をすることが可能なエレベータシステムおよびこれに利用するエレベータ制御装置、エレベータ制御方法を提供する。【解決手段】  実施形態によればエレベータシステムは、エレベータの特定利用者の識別情報を読み取る識別情報読取装置と、特定利用者の保護者に携帯される携帯端末と、エレベータ管理装置とを備える。エレベータ管理装置は、保護者の携帯端末の識別情報を特定利用者の識別情報と対応付けて個人情報として記憶する記憶部と、識別情報読取装置で読み取られた特定利用者の識別情報に対応する個人情報を記憶部から取得する判定部と、特定利用者の識別情報に対応する保護者の携帯端末の識別情報を利用して、「特定利用者がエレベータにいる」ことを示す報知情報を当該保護者の携帯端末に送信する携帯端末通信処理部とを有する。【選択図】図１
2015048224.tif 000002
【特許請求の範囲】
【請求項１】
エレベータの特定利用者に携帯され、前記特定利用者の識別情報を記録した特定利用者情報記録媒体と、
エレベータ乗場および前記エレベータの乗りかごの少なくとも一方に設置され、前記特定利用者情報記録媒体から前記特定利用者の識別情報を読み取る識別情報読取装置と、
前記特定利用者の保護者に携帯される携帯端末と、
前記エレベータの運転制御を行う制御装置と、
前記識別情報読取装置、前記携帯端末、および前記制御装置に接続されたエレベータ管理装置とを備えたエレベータシステムにおいて、
前記エレベータ管理装置は、
前記特定利用者が「保護が必要な利用者」であるか否かを示す保護要否情報、および前記特定利用者の保護者の携帯端末の識別情報を、前記特定利用者の識別情報と対応付けて個人情報として記憶する記憶部と、
前記識別情報読取装置で読み取られた特定利用者の識別情報に対応する個人情報を前記記憶部から取得し、取得した個人情報に基づいて前記特定利用者が「保護が必要な特定利用者」であるか否かを判定する判定部と、
前記特定利用者が「保護が必要な特定利用者」であると判定されると、前記特定利用者の識別情報に対応する保護者の携帯端末の識別情報を利用して、「前記特定利用者がエレベータにいる」ことを示す報知情報を当該保護者の携帯端末に送信する携帯端末通信処理部とを有することを特徴とするエレベータシステム。
【請求項２】
前記エレベータ管理装置は、前記判定部で取得した「保護が必要な特定利用者」の個人情報を、前記制御装置に送信するエレベータ通信処理部をさらに備え、
前記制御装置は、前記エレベータ管理装置から「保護が必要な特定利用者」の個人情報を受信すると、特定運転として、所定期間は前記乗りかご内に設置されたボタンによるかご呼び操作に応答しないように設定する
ことを特徴とする請求項１に記載のエレベータシステム。
【請求項３】
前記制御装置は、前記特定運転としてさらに、前記乗りかご内または前記エレベータ乗場に設置された音声発生器から、かご呼び操作に応答しないこと、または、保護が必要な特定利用者がいることを報知する音声情報を出力させる
ことを特徴とする請求項２に記載のエレベータシステム。
【請求項４】
前記制御装置は、前記特定運転としてさらに、前記乗りかごのかごドアおよび前記エレベータ乗場の乗場ドアを所定時間、戸開状態で維持し、前記乗りかごが昇降運転しないように制御する
ことを特徴とする請求項２または３に記載のエレベータシステム。
【請求項５】
前記特定利用者の保護者に携帯され、前記保護者の識別情報を記録した保護者情報記録媒体をさらに有し、
前記識別情報読取装置は、前記保護者情報記録媒体から前記保護者の識別情報を読み取り、
前記エレベータ管理装置の記憶部は、前記特定利用者の個人情報として、前記保護者の識別情報を前記特定利用者の識別情報と対応付けて記憶し、
前記エレベータ管理装置の判定部は、取得した個人情報に基づいて、前記特定利用者が「保護が必要な特定利用者」であると判定した後、所定期間内に、前記識別情報読取装置において当該特定利用者の保護者の識別情報が読み取られたか否かを、前記記憶部に記憶された情報に基づいて判定し、
前記エレベータ管理装置の携帯端末通信処理部は、前記判定部において、前記特定利用者が「保護が必要な特定利用者」であると判定された後、所定期間内に、前記識別情報読取装置において当該特定利用者の保護者の識別情報が読み取られたと判定されると、前記保護者の携帯端末への報知情報の送信を中止する
ことを特徴とする請求項２〜４いずれか１項に記載のエレベータシステム。
【請求項６】
前記エレベータ管理装置のエレベータ通信処理部は、前記判定部において、前記特定利用者が「保護が必要な特定利用者」であると判定された後、所定期間内に、前記識別情報読取装置において当該特定利用者の保護者の識別情報が読み取られたと判定されると、「当該特定利用者に保護者が付き添っている」ことを示す情報を、取得された個人情報に付加して前記制御装置に送信し、
前記制御装置は、前記エレベータ管理装置から、「当該特定利用者に保護者が付き添っている」ことを示す情報が付加された個人情報を受信すると、前記特定運転を行わず通常運転を行うように制御する
ことを特徴とする請求項２〜５いずれか１項に記載のエレベータシステム。
【請求項７】
前記識別情報読取装置は、前記特定利用者が一定時間以上前記乗りかごに滞在していることを検知すると、「特定利用者が一定時間以上、乗りかごに滞在している」ことを示す報知情報、および当該特定利用者の識別情報を前記エレベータ管理装置に送信し、
前記エレベータ管理装置の携帯端末通信部は、
前記識別情報読取装置から前記報知情報とともに送信された特定利用者の識別情報に対応する保護者の携帯端末の識別情報を前記記憶部から取得し、前記「特定利用者が一定以上、乗りかごに滞在している」ことを示す報知情報を当該保護者の携帯端末に送信する
ことを特徴とする請求項１〜６いずれか１項に記載のエレベータシステム。
【請求項８】
エレベータ乗場およびエレベータの乗りかごの少なくとも一方に設置され、エレベータの特定利用者に携帯される特定利用者情報記録媒体に記憶された前記特定利用者の識別情報を読み取る識別情報読取装置に接続されるとともに、前記特定利用者の保護者に携帯される携帯端末に接続されたエレベータ管理装置において、
前記特定利用者が「保護が必要な利用者」であるか否かを示す保護要否情報、および前記特定利用者の保護者の携帯端末の識別情報を、前記特定利用者の識別情報と対応付けて個人情報として記憶する記憶部と、
前記識別情報読取装置で読み取られた特定利用者の識別情報に対応する個人情報を前記記憶部から取得し、取得した個人情報に基づいて前記特定利用者が「保護が必要な特定利用者」であるか否かを判定する判定部と、
前記特定利用者が「保護が必要な特定利用者」であると判定されると、前記特定利用者の識別情報に対応する保護者の携帯端末の識別情報を利用して、「前記特定利用者がエレベータにいる」ことを示す報知情報を当該保護者の携帯端末に送信する携帯端末通信処理部と
を備えることを特徴とするエレベータ管理装置。
【請求項９】
エレベータ乗場およびエレベータの乗りかごの少なくとも一方に設置され、エレベータの特定利用者に携帯される特定利用者情報記録媒体に記憶された前記特定利用者の識別情報を読み取る識別情報読取装置に接続されるとともに、前記特定利用者の保護者に携帯される携帯端末に接続されたエレベータ管理装置が、
前記特定利用者が「保護が必要な利用者」であるか否かを示す保護要否情報、および前記特定利用者の保護者の携帯端末の識別情報を、前記特定利用者の識別情報と対応付けて個人情報として記憶する記憶ステップと、
前記識別情報読取装置で読み取られた特定利用者の識別情報に対応する個人情報を前記記憶ステップで記憶した情報から取得し、取得した個人情報に基づいて前記特定利用者が「保護が必要な特定利用者」であるか否かを判定する判定ステップと、
前記特定利用者が「保護が必要な特定利用者」であると判定されると、前記特定利用者の識別情報に対応する保護者の携帯端末の識別情報を利用して、「前記特定利用者がエレベータにいる」ことを示す報知情報を当該保護者の携帯端末に送信する携帯端末通信処理ステップと
を有することを特徴とするエレベータ管理方法。
【発明の詳細な説明】
【技術分野】
【０００１】
本発明の実施形態は、エレベータシステムおよびこれに利用するエレベータ制御装置、エレベータ制御方法に関する。
【背景技術】
【０００２】
従来、認知症性のある老人を介護する病院や介護施設、監視が必要な子供を預かる児童施設などでは、監視対象者の所定の行動（建物から出ようとする、夜間にベットから離れようとする等）を検知して保護者に通知する機能を備えたシステムが利用されている。
【０００３】
このようなシステムを利用することにより、監視対象者の安全を確保するとともに、保護者の負担を軽減させることができる。
【先行技術文献】
【特許文献】
【０００４】
【特許文献１】特開２００９−６４２９４号公報
【発明の概要】
【発明が解決しようとする課題】
【０００５】
しかしこのようなシステムでは、通知を受けた保護者が早急に当該監視対象者のもとへ向かわなければ所定の行動を阻止することができず、未だ保護者の負担が大きいという問題があった。
【０００６】
本発明は上記事情に鑑みてなされたものであり、監視対象者のエレベータの利用状況に基づいて、当該監視対象者の保護者による監視の支援をすることが可能なエレベータシステムおよびこれに利用するエレベータ制御装置、エレベータ制御方法を提供することを目的とする。
【課題を解決するための手段】
【０００７】
上記目的を達成するための実施形態によればエレベータシステムは、エレベータの特定利用者の識別情報を読み取る識別情報読取装置と、特定利用者の保護者に携帯される携帯端末と、エレベータ管理装置とを備える。エレベータ管理装置は、保護者の携帯端末の識別情報を特定利用者の識別情報と対応付けて個人情報として記憶する記憶部と、識別情報読取装置で読み取られた特定利用者の識別情報に対応する個人情報を記憶部から取得する判定部と、特定利用者の識別情報に対応する保護者の携帯端末の識別情報を利用して、「特定利用者がエレベータにいる」ことを示す報知情報を当該保護者の携帯端末に送信する携帯端末通信処理部とを有する。
【図面の簡単な説明】
【０００８】
【図１】第１実施形態によるエレベータシステムの構成を示す全体図。
【図２】第１実施形態によるエレベータシステムの乗りかご内部を示す正面図。
【図３】第１実施形態によるエレベータ制御装置およびエレベータ中央管理装置の構成を示すブロック図。
【図４】第１実施形態によるエレベータシステムの識別情報読取装置が、利用者が携帯する非接触情報記録媒体から記録情報を読み取る状態を示す図。
【図５】第１実施形態によるエレベータシステムのエレベータ中央管理装置に記憶された特定利用者管理テーブルの一例を示す表。
【図６】第１実施形態によるエレベータシステムの構成を示す説明図。
【図７】第１実施形態によるエレベータシステムの動作を示すフローチャート。
【図８】第１実施形態によるエレベータシステムのエレベータ制御装置の動作を示すフローチャート。
【図９】第２実施形態によるエレベータシステムの構成を示す全体図。
【図１０】第２実施形態によるエレベータシステムのエレベータ中央管理装置に記憶された特定利用者管理テーブルの一例を示す表。
【図１１】第２実施形態によるエレベータシステムの動作を示すフローチャート。
【図１２】第２実施形態によるエレベータシステムのエレベータ制御装置の動作を示すフローチャート。
【図１３】第３実施形態によるエレベータシステムの動作を示すフローチャート。
【発明を実施するための形態】
【０００９】
《第１実施形態》
本発明のエレベータシステムの第１実施形態として、介護施設や病院、児童施設などの建物に設置されたエレベータの利用状況に基づいて、介護施設の入居者、病院に入院中の患者、児童施設に登録された児童などの監視対象者（以下、「特定利用者」とする）に対する、保護者による監視の支援をする場合について説明する。
【００１０】
〈第１実施形態によるエレベータシステムの構成〉
本発明の第１実施形態によるエレベータシステムの構成について、図１を参照して説明する。図１は、本実施形態によるエレベータシステム１Ａの構成を示す全体図である。
【００１１】
エレベータシステム１Ａは、建物に設置されたエレベータ２と、エレベータ２の特定利用者Ｘに携帯される特定利用者情報記録媒体３と、エレベータ乗場およびエレベータ２の乗りかごの少なくとも一方に設置された識別情報読取装置４と、当該建物を含む複数の建物のエレベータに接続されたエレベータ中央管理装置５と、エレベータ２と識別情報読取装置４とエレベータ中央管理装置５とに接続された中継装置６と、特定利用者の保護者Ｙに携帯され、エレベータ中央管理装置５に無線接続された携帯端末７とを備える。
【００１２】
エレベータ２は、当該建物の各階のエレベータ乗場２１を連絡する昇降路２２と、この昇降路２２の頂部に設置された巻上げ機２３と、この巻上げ機２３に巻き掛けられたメインロープ２４の一端に吊り下げられ、一対のガイドレール２５ａ、２５ｂに沿って昇降路２２内を昇降移動する乗りかご２６と、メインロープ２４の他端に吊り下げられた釣り合い錘２７とを有する。
【００１３】
なお、当該建物内には各階にエレベータ乗場２１が設けられているが、図１では説明の便宜上、１つのエレベータ乗場２１のみを示している。
【００１４】
エレベータ乗場２１には乗場ドア２１ａおよび乗場呼びボタン２１ｂが設置されている。
【００１５】
また乗りかご２６には、図２に示すように、かごドア２６ａと、かご操作パネル２６ｂと、ドア開閉ボタン２６ｃと、行先階指定ボタン２６ｄと、音声案内メッセージ情報を出力する音声発生器２６ｅとが設置されている。
【００１６】
また昇降路２２の頂部には、巻上げ機２３やかごドア２６ａ、乗場ドア２１ａ、音声発生器２６ｅ等の動作を制御するエレベータ制御装置２８が設置されている。
【００１７】
エレベータ制御装置２８は、図３に示すように、一般利用者に対する通常運転を行うための通常運転処理用プログラムおよび特定利用者に対する特定運転を行うための特定運転処理用プログラムを記憶するメインメモリ２８１と、ＣＰＵで構成される運転制御処理部２８２と、エレベータ２の運転制御に必要な情報を記憶する補助メモリ２８３とを有する。
【００１８】
運転制御処理部２８２は、通常運転処理部２８２ａと、特定運転処理部２８２ｂと、送受信部２８２ｃとを有する。
【００１９】
通常運転処理部２８２ａは、通常運転時にメインメモリ２８１に記憶された通常運転処理用プログラムに従って、一般利用者の操作に基づいて乗場呼びおよびかご呼びによる呼び登録をした後、巻上げ機２３を所定の回転速度にて駆動し、乗りかご２６を呼び登録階（目的階）に移動させる機能を有する。また、通常運転中に中継装置６から保護が必要な特定利用者の個人情報を受信したときに、特定運転処理部２８２ｂを起動させる。
【００２０】
特定運転処理部２８２ｂは、メインメモリ２８１に記憶された特定運転処理用プログラムに従って、特定利用者に応じた特定運転を行う。
【００２１】
送受信部２８２ｃは、エレベータ２内の各機器および中継装置６との間で情報を送受信する。
【００２２】
補助メモリ２８３には、エレベータ２の通常運転に必要な通常運転制御情報（各種の運転制御用パラメータ、運転速度指示パターン、エレベータの異常有無を判断する各種の異常判定用データ等）２８３ａと、特定運転に必要な特定運転制御情報（例えば、特定利用者によるかご呼び操作には応答しない旨の制御情報、乗場や乗りかごに設置された音声発生装置から出力させるための音声メッセージ情報等）２８３ｂとが少なくとも記憶されている。
【００２３】
特定利用者情報記録媒体３は、携帯される特定利用者の識別情報を記録した媒体であり、無線ＩＣタグ、または非接触ＩＣタグと称するＲＦＩＤタグ等で構成される。
【００２４】
識別情報読取装置４は、エレベータ乗場２１およびエレベータ２の乗りかご２６の少なくとも一方に設置され、図４に示すように特定利用者Ｘが携帯する特定利用者情報記録媒体３から特定利用者Ｘの識別情報を読み取って、中継装置６に送信する。本実施形態においてはエレベータ乗場２１に識別情報読取装置４ａが設置され、乗りかご２６内に識別情報読取装置４ｂが設置されているものとする。
【００２５】
エレベータ中央管理装置５は、当該建物を含む複数の建物のエレベータを集中管理する装置であり、エレベータ管理センタ装置、保守管理センタ装置、保守センタ装置、遠隔監視装置、遠隔監視制御装置などのいずれであってもよく、その名称によって影響を受けるものではない。
【００２６】
エレベータ中央管理装置５は、図３に示すように、記憶部５ａと、判定部５ｂと、携帯端末通信処理部５ｃと、エレベータ通信処理部５ｄとを有する。
【００２７】
記憶部５ａは、特定利用者の事前申告に基づいて登録される個人情報、例えば特定利用者の氏名、保護の必要な利用者であるか否かを示す保護要否情報、保護が必要な場合の保護者の携帯端末の電話番号やアドレス情報が、特定利用者の識別情報ごとに格納された特定利用者管理テーブルを記憶する。特定利用者管理テーブルの一例を、図５に示す。
【００２８】
図５の特定利用者管理テーブルには、識別情報「X001」の特定利用者Ｘ1の個人情報として、氏名が「○○○○」であること、保護が必要であること、特定利用者Ｘ1の保護者Ｙ1の携帯端末番号が「090aaaabbbb」であることが格納されている。また、識別情報「X002」の特定利用者Ｘ2の個人情報として、氏名が「××××」であること、保護が必要であること、特定利用者Ｘ2の保護者Ｙ2の携帯端末番号が「090ccccdddd」であることが格納されている。また、識別情報「X003」の特定利用者Ｘ3の個人情報として、氏名が「△△△△」であること、保護が不要であることが格納されている。また、識別情報「X004」の特定利用者Ｘ4の個人情報として、氏名が「□□□□」であること、保護が必要であること、特定利用者Ｘ4の保護者Ｙ4の携帯端末番号が「090gggghhhh」であることが格納されている。
【００２９】
判定部５ｂは、識別情報読取装置４ａまたは４ｂで読み取られた特定利用者の識別情報に対応する個人情報を記憶部５ａから取得し、取得した個人情報に基づいて、当該特定利用者が「保護が必要な特定利用者」であるか否かを判定する。
【００３０】
携帯端末通信処理部５ｃは、判定部５ｂにおいて当該特定利用者が「保護が必要な特定利用者」であると判定されると、当該特定利用者の識別情報に対応する保護者の携帯端末番号を利用して、「保護対象の特定利用者がエレベータにいる」ことを示す報知情報を当該保護者の携帯端末７に送信する。
【００３１】
エレベータ通信処理部５ｄは、判定部５ｂにおいて当該特定利用者が「保護が必要な特定利用者」であると判定されると、取得された特定利用者の個人情報を中継装置６を介してエレベータ制御装置２８に送信する。
【００３２】
中継装置６は、エレベータ２と識別情報読取装置４とエレベータ中央管理装置５との間で送受信される情報を中継する。
【００３３】
携帯端末７は、エレベータ中央管理装置５から送信された報知情報を出力する表示部やスピーカ（図示せず）を有する。
【００３４】
〈第１実施形態によるエレベータシステムの動作〉
次に、本実施形態によるエレベータシステム１Ａの動作について、図６および図７を参照して説明する。
【００３５】
まず、特定利用者Ｘ1がＲＦＩＤタグで構成された特定利用者情報記録媒体３を携帯してエレベータ乗場２１に入場すると、エレベータ乗場２１に設置された識別情報読取装置４ａにより無線通信で特定利用者情報記録媒体３に記録されている特定利用者Ｘ1の識別情報「X001」が読み取られる。読み取られた識別情報「X001」は、識別情報読取装置４ａから中継装置６に送信される（Ｓ１）。
【００３６】
中継装置６で受信された識別情報「X001」は、さらにエレベータ中央管理装置５に送信される（Ｓ２）。
【００３７】
エレベータ中央管理装置５では、判定部５ｂにより記憶部５ａの特定利用者管理テーブルが参照され、受信された識別情報「X001」に該当する特定利用者Ｘ1が特定され、当該特定利用者Ｘ1の個人情報が取得される（Ｓ３）。ここでは、特定利用者Ｘ1の個人情報として、氏名「○○○○」、保護が必要であること、特定利用者Ｘ1の保護者Ｙ1の携帯端末番号「090aaaabbbb」が取得される。
【００３８】
次に判定部５ｂにおいて、取得された個人情報に基づいて、当該特定利用者Ｘ1が「保護が必要な利用者」であると判定される（Ｓ４の「YES」）。
【００３９】
特定利用者Ｘ1が「保護が必要な利用者」であると判定されると、携帯端末通信処理部５ｃにおいて「当該特定利用者がエレベータにいる」ことを示す報知情報が生成され、ステップＳ３で取得された個人情報に基づいて当該保護者Ｙ1の携帯端末番号「090aaaabbbb」宛てに送信される。保護者Ｙ1の携帯端末７では、受信された「当該特定利用者がエレベータにいる」ことを示す報知情報が出力される。
【００４０】
また、ステップＳ４において特定利用者Ｘ1が「保護が必要な利用者」であると判定されたことにより、当該特定利用者Ｘ1の個人情報が、エレベータ中央管理装置５のエレベータ通信処理部５ｄにより中継装置６に送信される（Ｓ５）。
【００４１】
中継装置６で受信された特定利用者Ｘ1の個人情報はさらに、エレベータ制御装置２８に送信される（Ｓ６）。
【００４２】
エレベータ制御装置２８では、中継装置６から特定利用者Ｘ1の個人情報が受信されると、当該個人情報の内容に基づいてエレベータ２の運転制御が行われる（Ｓ７）。
【００４３】
エレベータ制御装置２８によるエレベータ２の運転制御動作について、図８のフローチャートを参照して説明する。
【００４４】
エレベータ制御装置２８では、運転開始とともに通常運転処理部２８２ａが起動され、メインメモリ２８１に記憶された通常運転処理用プログラムに従って、補助メモリ２８３に記憶された通常運転制御情報２８３ａが用いられて通常運転が実行される（Ｓ１１）。すなわち、通常運転処理部２８２ａにより一般利用者の操作に基づいて乗場呼びやかご呼びが登録され、乗りかご２６が登録階（目的階）に移動される。
【００４５】
通常運転処理部２８２ａでは、通常運転が行われている間、送受信部２８２ｃを介して中継装置６から、保護が必要な特定利用者の個人情報が受信されているか否かが監視される（Ｓ１２）。
【００４６】
ここで特定利用者の個人情報が受信されていない間は（Ｓ１２の「NO」）ステップＳ１１に戻り、通常運転が継続される。また特定利用者の個人情報が受信された場合（Ｓ１２の「YES」）は、補助メモリ２８３の空きエリアに当該個人情報が記憶された後、特定運転処理部２８２ｂが起動される（Ｓ１３）。
【００４７】
特定運転処理部２８２ｂでは、メインメモリ２８１に記憶された特定運転処理用プログラムに従って、補助メモリ２８３の特定運転制御情報２８３ｂが用いられてエレベータ２の特定運転が実行される（Ｓ１４）。
【００４８】
特定運転処理部２８２ｂで実行される、エレベータ２の特定運転の具体例について説明する。
【００４９】
（特定運転−１）
取得された個人情報に基づいて保護が必要な特定利用者Ｘ1がエレベータ２にいることがエレベータ制御装置２８で検知されたときは、所定時間は乗りかご２６内に設置されたボタンによるかご呼び操作に応答しないように設定される。
【００５０】
またここで、補助メモリ２８３に記憶された特定運転制御情報２８３ｂから、「かご呼び操作に応答しない」ことや、「保護が必要な人がエレベータにいる」ことを報知するための音声メッセージ情報が取得され、エレベータ乗場２１や乗りかご２８に設置された音声発生器２６ｅから出力させるようにしてもよい。
【００５１】
（特定運転−２）
取得された個人情報に基づいて保護が必要な特定利用者Ｘ1が乗りかご２６に乗り込んだことがエレベータ制御装置２８で検知されたときは、特定利用者Ｘ1がいる階床のエレベータ乗場２１に乗りかご２６が着床して戸開したときに、乗りかご２６のかごドア２６ａおよびエレベータ乗場２１の乗場ドア２１ａが所定時間、戸開状態で維持され、且つ、乗りかご２６が昇降運転されないように制御が行われる。
【００５２】
特定利用者Ｘ1が乗りかご２６に乗り込んだか否かは、乗りかご２６内の識別情報読取装置４ｂで特定利用者Ｘ1の識別情報が取得されたか否か、または乗りかご２６内の荷重センサ（図示せず）で荷重が検出されたか否か等により判断される。
【００５３】
またここで、補助メモリ２８３に記憶された特定運転制御情報２８３ｂから、乗りかごから降りることを促すための音声メッセージ情報や、「保護が必要な人がエレベータにいる」ことを報知するための音声メッセージ情報が取得され、エレベータ乗場２１や乗りかご２８に設置された音声発生器２６ｅから出力させるようにしてもよい。
【００５４】
以上の第１実施形態によれば、保護が必要な特定利用者がエレベータを利用しようとしたときにこれを検知して保護者に報知することにより、保護者による特定利用者の監視を支援することができる。また、当該特定利用者がエレベータを利用しようとしたときにエレベータの運転を制限したり、特定利用者がいることをエレベータ付近にいる人に報知することにより、当該特定利用者がエレベータ２を利用して単独で他階に移動したり建物外へ移動したりすることを抑止し、保護者が駆けつける前にも特定利用者の安全を確保することができる。
【００５５】
《第２実施形態》
本発明の第２実施形態として、第１実施形態で説明したように特定利用者がエレベータで検知されたときに特定運転を行うエレベータシステムにおいて、特定利用者に保護者が付き添っていると判断される場合には特定運転は行わず、通常運転を継続する場合について説明する。
【００５６】
〈第２実施形態によるエレベータシステムの構成〉
本発明の第２実施形態によるエレベータシステムの構成について、図９を参照して説明する。図９は、本実施形態によるエレベータシステム１Ｂの構成を示す全体図である。
【００５７】
エレベータシステム１Ｂは、特定利用者の保護者に携帯される保護者情報記録媒体８を備える他は、第１実施形態によるエレベータシステム１Ａの構成と同様であるため、同一機能を有する部分の詳細な説明は省略する。
【００５８】
本実施形態において保護者情報記録媒体８は、携帯される特定利用者の保護者の識別情報を記録した媒体であり、無線ＩＣタグ、または非接触ＩＣタグと称するＲＦＩＤタグ等で構成される。
【００５９】
識別情報読取装置４は、保護者情報記録媒体８から保護者の識別情報を読み取って中継装置６に送信する機能をさらに有する。
【００６０】
またエレベータ中央管理装置５の記憶部５ａは、特定利用者管理テーブルに特定利用者の個人情報として、保護者の識別情報を特定利用者の識別情報と対応付けて記憶する。
【００６１】
本実施形態における特定利用者管理テーブルの一例を、図１０に示す。
【００６２】
図１０の特定利用者管理テーブルには、第１実施形態で説明した図５の特定利用者管理テーブルの情報に加え、識別情報「X001」の特定利用者Ｘ1の個人情報として保護者の識別情報「Y001」が格納され、識別情報「X002」の特定利用者Ｘ2の個人情報として保護者の識別情報「Y002」が格納され、識別情報「X004」の特定利用者Ｘ4の個人情報として保護者の識別情報「Y004」が格納されている。
【００６３】
また判定部５ｂは、取得した個人情報に基づいて、当該特定利用者が「保護が必要な特定利用者」であると判定した後、所定期間内に、識別情報読取装置４において当該特定利用者の保護者の識別情報が読み取られたか否かを、記憶部５ａに記憶された情報に基づいて判定する。
【００６４】
携帯端末通信処理部５ｃは、判定部５ｂにおいて、当該特定利用者が「保護が必要な特定利用者」であると判定された後、さらに所定期間内に当該特定利用者の保護者の識別情報が読み取られたと判定されると、保護者の携帯端末７への報知情報の送信を中止する機能をさらに有する。
【００６５】
エレベータ通信処理部５ｄは、判定部５ｂにおいて、当該特定利用者が「保護が必要な特定利用者」であると判定された後、さらに所定期間内に当該特定利用者の保護者の識別情報が読み取られたと判定されると、「当該特定利用者に保護者が付き添っている」ことを示す情報を取得された個人情報に付加し、中継装置６を介してエレベータ制御装置２８に送信する。
【００６６】
またエレベータ制御装置２８の通常運転処理部２８２ａは、受信された特定利用者の個人情報に、当該特定利用者に「保護者が付き添っている」ことを示す情報が付加されていることを検知したときは特定運転処理部２８２ｂを起動させず、通常運転を継続させるように制御する機能をさらに有する。
【００６７】
〈第２実施形態によるエレベータシステムの動作〉
次に、本実施形態によるエレベータシステム１Ｂの動作について、図１１を参照して説明する。
【００６８】
図１１において、ステップＳ２１〜Ｓ２４により実行される処理は、第１実施形態で説明した図７のステップＳ１〜Ｓ４により実行される処理と同様であるため、詳細な説明は省略する。
【００６９】
本実施形態において、判定部５ｂで取得された個人情報に基づいて、当該特定利用者Ｘ1が「保護が必要な利用者」であると判定されると（Ｓ２４の「YES」）、所定期間内に、識別情報読取装置４において当該特定利用者Ｘ1の保護者の識別情報が読み取られたか否かがさらに判定される（Ｓ２５）。
【００７０】
当該特定利用者Ｘ1の保護者の識別情報が読み取られたか否かは、特定利用者Ｘ1の個人情報として記憶部５ａの特定利用者管理テーブルに登録されている保護者の識別情報「Y001」が、識別情報読取装置４で読み取られたか否かにより判定される。
【００７１】
ここで、当該特定利用者Ｘ1の保護者の識別情報が読み取られていないと判定されたとき（Ｓ２５の「NO」）、つまり特定利用者Ｘ1に保護者Ｙ1が付き添われていないと判断されたときに実行されるステップＳ２６〜Ｓ２８の処理は、第１実施形態において説明したステップＳ５〜Ｓ７の処理と同様であるため、詳細な説明は省略する。
【００７２】
ステップＳ２５において当該特定利用者Ｘ1の保護者の識別情報「Y001」が読み取られたと判定されたとき（Ｓ２５の「YES」）は、特定利用者Ｘ1に保護者Ｙ1が付き添われていると判断され、当該保護者Ｙ1の携帯端末７への報知情報の送信は中止される。ここで、エレベータ通信処理部５ｄにおいて「当該特定利用者に保護者が付き添っている」ことを示す情報が特定利用者Ｘ1の個人情報に付加され、中継装置６に送信される（Ｓ２９）。
【００７３】
中継装置６で受信された特定利用者Ｘ1の個人情報はさらに、エレベータ制御装置２８に送信され、当該個人情報の内容に基づいてエレベータ２の運転制御が行われる（Ｓ２７、Ｓ２８）。
【００７４】
エレベータ制御装置２８によるエレベータ２の運転制御動作について、図１２のフローチャートを参照して説明する。
【００７５】
エレベータ制御装置２８では、運転開始とともに通常運転処理部２８２ａが起動され、メインメモリ２８１に記憶された通常運転処理用プログラムに従って、補助メモリ２８３に記憶された通常運転制御情報２８３ａが用いられて通常運転が実行される（Ｓ３１）。
【００７６】
通常運転処理部２８２ａでは、通常運転が行われている間、送受信部２８２ｃを介して中継装置６から、保護が必要な特定利用者の個人情報が受信されているか否かが監視される（Ｓ３２）。
【００７７】
ここで特定利用者の個人情報が受信されていない間は（Ｓ３２の「NO」）ステップＳ３１に戻り、通常運転が継続される。また特定利用者の個人情報が受信された場合（Ｓ３２の「YES」）は、当該個人情報に「当該特定利用者に保護者が付き添っている」ことを示す情報が付加されているか否かが判定される（Ｓ３３）。
【００７８】
判定の結果、当該個人情報に「当該特定利用者に保護者が付き添っている」ことを示す情報が付加されている場合には（Ｓ３３の「YES」）特定運転は必要ないと判断され、ステップＳ３１に戻り、通常運転が継続される。また当該個人情報に「当該特定利用者に保護者が付き添っている」ことを示す情報が付加されていない場合には（Ｓ３３の「NO」）、補助メモリ２８３の空きエリアに当該個人情報が記憶された後、特定運転処理部２８２ｂが起動される（Ｓ３４）。
【００７９】
特定運転処理部２８２ｂでは、メインメモリ２８１に記憶された特定運転処理用プログラムに従って、補助メモリ２８３の特定運転制御情報２８３ｂが用いられてエレベータ２の特定運転が実行される（Ｓ３５）。
【００８０】
以上の第２実施形態によれば、特定利用者の安全に配慮した動作を行うエレベータシステムにおいて、特定利用者に保護者が付き添っている場合には、保護者への報知動作やエレベータの運転制限等を行わないようにすることで、効率よく処理を行うことができる。
【００８１】
《第３実施形態》
本発明の第３実施形態として、第１実施形態で説明したように特定利用者がエレベータで検知されたときに特定運転を行うエレベータシステムにおいてさらに、特定利用者が一定時間以上乗りかごに滞在していることを検知したときに保護者に報知する機能が搭載された場合について説明する。
【００８２】
〈第３実施形態によるエレベータシステムの構成〉
本発明の第３実施形態によるエレベータシステム１Ｃの構成は、第１実施形態によるエレベータシステム１Ａと同様であるため、同一機能を有する部分に関する詳細な説明は省略する。
【００８３】
本実施形態において識別情報読取装置４は、特定利用者が携帯する特定利用者情報記録媒体３から特定利用者の識別情報を読み取った後、当該特定利用者が一定時間以上乗りかご２６に滞在していることを検知すると、「特定利用者が一定時間以上、乗りかごに滞在している」ことを示す報知情報、および当該特定利用者の識別情報を、中継装置６を介してエレベータ中央管理装置５に送信する。
【００８４】
またエレベータ中央管理装置５の携帯端末通信処理部５ｃは、識別情報読取装置４から報知情報とともに送信された特定利用者の識別情報に対応する、保護者の携帯端末の識別情報を記憶部５ａから取得し、「特定利用者が一定以上、乗りかごに滞在している」ことを示す報知情報を当該保護者の携帯端末７に送信する。
【００８５】
〈第３実施形態によるエレベータシステムの動作〉
次に、本実施形態によるエレベータシステム１Ｃの動作について、図１３を参照して説明する。
【００８６】
まず、特定利用者Ｘ1がＲＦＩＤタグで構成された特定利用者情報記録媒体３を携帯してエレベータ乗場２１に入場すると、エレベータ乗場２１に設置された識別情報読取装置４ａにより無線通信で特定利用者情報記録媒体３に記録されている特定利用者Ｘ1の識別情報「X001」が読み取られる（Ｓ４１）。
【００８７】
次に識別情報読取装置４ａにおいて、特定利用者Ｘ1が一定時間以上乗りかご２６に滞在しているか否かが判定される（Ｓ４２）。特定利用者Ｘ1が一定時間以上乗りかご２６に滞在しているか否かは、乗りかご２６内の識別情報読取装置４ｂにおいて一定時間継続して識別情報「X001」が取得されているか否か、または乗りかご２６内の荷重センサで一定時間継続して荷重が検出されたか否か等により判断される。
【００８８】
特定利用者Ｘ1が一定時間以上乗りかご２６に滞在していると判定されると（Ｓ４２の「YES」）、「特定利用者が一定時間以上、乗りかごに滞在している」ことを示す報知情報、および当該特定利用者の識別情報「X001」が、識別情報読取装置４から中継装置６に送信される（Ｓ４３）。
【００８９】
中継装置６で受信された報知情報および識別情報「X001」は、さらにエレベータ中央管理装置５に送信される（Ｓ４４）。
【００９０】
エレベータ中央管理装置５では、判定部５ｂにより記憶部５ａの特定利用者管理テーブルが参照され、受信された識別情報「X001」に該当する特定利用者Ｘ1が特定され、当該特定利用者Ｘ1の個人情報が取得される（Ｓ４５）。ここでは、特定利用者Ｘ1の個人情報として、氏名「○○○○」、保護が必要であること、特定利用者Ｘ1の保護者Ｙ1の携帯端末番号「090aaaabbbb」が取得される。
【００９１】
次に判定部５ｂにおいて、取得された個人情報に基づいて、当該特定利用者Ｘ1が「保護が必要な利用者」であるか否かが判定される（Ｓ４６）。
【００９２】
特定利用者Ｘ1が「保護が必要な利用者」であると判定されると（Ｓ４６の「YES」）、携帯端末通信処理部５ｃにより、ステップＳ４５で取得された個人情報に基づいて当該保護者Ｙ1の携帯端末番号「090aaaabbbb」宛てに、「特定利用者が一定時間以上、乗りかごに滞在している」ことを示す報知情報が送信される（Ｓ４７）。
【００９３】
以上の第３実施形態によれば、特定利用者の安全に配慮した動作を行うエレベータシステムにおいて、特定利用者が一定時間以上乗りかごに滞在しているときにこれを検知して保護者に報知することにより、さらに高い精度で保護者による特定利用者の監視を支援することができる。
【００９４】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００９５】
１Ａ、１Ｂ、１Ｃ…エレベータシステム
２…エレベータ
３…特定利用者情報記録媒体
４、４ａ、４ｂ…識別情報読取装置
５…エレベータ中央管理装置
５ａ…記憶部
５ｂ…判定部
５ｃ…携帯端末通信処理部
５ｄ…エレベータ通信処理部
６…中継装置
７…携帯端末
８…保護者情報記録媒体
２１…エレベータ乗場
２１ａ…乗場ドア
２１ｂ…乗場ボタン
２２…昇降路
２３…巻上げ機
２４…メインロープ
２５ａ…ガイドレール
２６ａ…かごドア
２６ｂ…操作パネル
２６ｃ…ドア開閉ボタン
２６ｄ…行先階指定ボタン
２６ｅ…音声発生器
２７…釣り合い錘
２８…エレベータ制御装置
２８１…メインメモリ
２８２…運転制御処理部
２８２ａ…通常運転処理部
２８２ｂ…特定運転処理部
２８２ｃ…送受信部
２８３…補助メモリ
２８３ａ…通常運転制御情報
２８３ｂ…特定運転制御情報
【図１】
2015048224.tif 000003
【図２】
2015048224.tif 000004
【図３】
2015048224.tif 000005
【図４】
2015048224.tif 000006
【図５】
2015048224.tif 000007
【図６】
2015048224.tif 000008
【図７】
2015048224.tif 000009
【図８】
2015048224.tif 000010
【図９】
2015048224.tif 000011
【図１０】
2015048224.tif 000012
【図１１】
2015048224.tif 000013
【図１２】
2015048224.tif 000014
【図１３】
2015048224.tif 000015
【手続補正書】
【提出日】平成26年10月17日(2014.10.17)
【手続補正１】
【補正対象書類名】特許請求の範囲
【補正対象項目名】全文
【補正方法】変更
【補正の内容】
【特許請求の範囲】
【請求項１】
エレベータの特定利用者に携帯され、前記特定利用者の識別情報を記録した特定利用者情報記録媒体と、
エレベータ乗場および前記エレベータの乗りかごの少なくとも一方に設置され、前記特定利用者情報記録媒体から前記特定利用者の識別情報を読み取る識別情報読取装置と、
前記特定利用者の保護者に携帯される携帯端末と、
前記エレベータの運転制御を行う制御装置と、
前記識別情報読取装置、前記携帯端末、および前記制御装置に接続されたエレベータ管理装置とを備えたエレベータシステムにおいて、
前記エレベータ管理装置は、
前記特定利用者が「保護が必要な利用者」であるか否かを示す保護要否情報、および前記特定利用者の保護者の携帯端末の識別情報を、前記特定利用者の識別情報と対応付けて個人情報として記憶する記憶部と、
前記識別情報読取装置で読み取られた特定利用者の識別情報に対応する個人情報を前記記憶部から取得し、取得した個人情報に基づいて前記特定利用者が「保護が必要な特定利用者」であるか否かを判定する判定部と、
前記判定部において、前記特定利用者が「保護が必要な特定利用者」であると判定されると、当該特定利用者の個人情報を前記制御装置に送信するエレベータ通信処理部と、
前記判定部において、前記特定利用者が「保護が必要な特定利用者」であると判定されると、当該特定利用者の識別情報に対応する保護者の携帯端末の識別情報を利用して、「前記特定利用者がエレベータにいる」ことを示す報知情報を当該保護者の携帯端末に送信する携帯端末通信処理部とを有し、
前記制御装置は、
前記エレベータ管理装置から「保護が必要な特定利用者」の個人情報を受信すると、特定運転として、所定期間は前記乗りかご内に設置されたボタンによるかご呼び操作に応答しないように設定する特定運転処理部を有する
ことを特徴とするエレベータシステム。
【請求項２】
前記制御装置の特定運転処理部は、前記特定運転としてさらに、前記乗りかご内または前記エレベータ乗場に設置された音声発生器から、かご呼び操作に応答しないこと、または、保護が必要な特定利用者がいることを報知する音声情報を出力させる
ことを特徴とする請求項１に記載のエレベータシステム。
【請求項３】
前記制御装置の特定運転処理部は、前記特定運転としてさらに、前記乗りかごのかごドアおよび前記エレベータ乗場の乗場ドアを所定時間、戸開状態で維持し、前記乗りかごが昇降運転しないように制御する
ことを特徴とする請求項１または２に記載のエレベータシステム。
【請求項４】
前記特定利用者の保護者に携帯され、前記保護者の識別情報を記録した保護者情報記録媒体をさらに有し、
前記識別情報読取装置は、前記保護者情報記録媒体から前記保護者の識別情報を読み取り、
前記エレベータ管理装置の記憶部は、前記特定利用者の個人情報として、前記保護者の識別情報を前記特定利用者の識別情報と対応付けて記憶し、
前記エレベータ管理装置の判定部は、取得した個人情報に基づいて、前記特定利用者が「保護が必要な特定利用者」であると判定した後、所定期間内に、前記識別情報読取装置において当該特定利用者の保護者の識別情報が読み取られたか否かを、前記記憶部に記憶された情報に基づいて判定し、
前記エレベータ管理装置の携帯端末通信処理部は、前記判定部において、前記特定利用者が「保護が必要な特定利用者」であると判定された後、所定期間内に、前記識別情報読取装置において当該特定利用者の保護者の識別情報が読み取られたと判定されると、前記保護者の携帯端末への報知情報の送信を中止する
ことを特徴とする請求項１〜３いずれか１項に記載のエレベータシステム。
【請求項５】
前記エレベータ管理装置のエレベータ通信処理部は、前記判定部において、前記特定利用者が「保護が必要な特定利用者」であると判定された後、所定期間内に、前記識別情報読取装置において当該特定利用者の保護者の識別情報が読み取られたと判定されると、「当該特定利用者に保護者が付き添っている」ことを示す情報を、取得された個人情報に付加して前記制御装置に送信し、
前記制御装置の特定運転処理部は、前記エレベータ管理装置から、「当該特定利用者に保護者が付き添っている」ことを示す情報が付加された個人情報を受信すると、前記特定運転を行わず通常運転を行うように制御する
ことを特徴とする請求項１〜４いずれか１項に記載のエレベータシステム。
【請求項６】
前記識別情報読取装置は、前記特定利用者が一定時間以上前記乗りかごに滞在していることを検知すると、「特定利用者が一定時間以上、乗りかごに滞在している」ことを示す報知情報、および当該特定利用者の識別情報を前記エレベータ管理装置に送信し、
前記エレベータ管理装置の携帯端末通信処理部は、
前記識別情報読取装置から前記報知情報とともに送信された特定利用者の識別情報に対応する保護者の携帯端末の識別情報を前記記憶部から取得し、前記「特定利用者が一定以上、乗りかごに滞在している」ことを示す報知情報を当該保護者の携帯端末に送信する
ことを特徴とする請求項１〜５いずれか１項に記載のエレベータシステム。
【請求項７】
エレベータ乗場およびエレベータの乗りかごの少なくとも一方に設置され、エレベータの特定利用者に携帯される特定利用者情報記録媒体に記憶された前記特定利用者の識別情報を読み取る識別情報読取装置と、前記特定利用者の保護者に携帯される携帯端末と、前記エレベータの運転制御を行う制御装置とに接続されたエレベータ管理装置において、
前記特定利用者が「保護が必要な利用者」であるか否かを示す保護要否情報、および前記特定利用者の保護者の携帯端末の識別情報を、前記特定利用者の識別情報と対応付けて個人情報として記憶する記憶部と、
前記識別情報読取装置で読み取られた特定利用者の識別情報に対応する個人情報を前記記憶部から取得し、取得した個人情報に基づいて前記特定利用者が「保護が必要な特定利用者」であるか否かを判定する判定部と、
前記判定部において、前記特定利用者が「保護が必要な特定利用者」であると判定されると、特定運転として、所定期間は前記乗りかご内に設置されたボタンによるかご呼び操作に応答しないように設定させるために、当該特定利用者の個人情報を前記制御装置に送信するエレベータ通信処理部と、
前記判定部において、前記特定利用者が「保護が必要な特定利用者」であると判定されると、前記特定利用者の識別情報に対応する保護者の携帯端末の識別情報を利用して、「前記特定利用者がエレベータにいる」ことを示す報知情報を当該保護者の携帯端末に送信する携帯端末通信処理部と
を備えることを特徴とするエレベータ管理装置。
【請求項８】
エレベータ乗場およびエレベータの乗りかごの少なくとも一方に設置され、エレベータの特定利用者に携帯される特定利用者情報記録媒体に記憶された前記特定利用者の識別情報を読み取る識別情報読取装置と、前記特定利用者の保護者に携帯される携帯端末と、前記エレベータの運転制御を行う制御装置とに接続されたエレベータ管理装置が、
前記特定利用者が「保護が必要な利用者」であるか否かを示す保護要否情報、および前記特定利用者の保護者の携帯端末の識別情報を、前記特定利用者の識別情報と対応付けて個人情報として記憶する記憶ステップと、
前記識別情報読取装置で読み取られた特定利用者の識別情報に対応する個人情報を前記記憶ステップで記憶した情報から取得し、取得した個人情報に基づいて前記特定利用者が「保護が必要な特定利用者」であるか否かを判定する判定ステップと、
前記特定利用者が「保護が必要な特定利用者」であると判定されると、当該特定利用者の個人情報を前記制御装置に送信するエレベータ通信処理ステップと、
前記特定利用者が「保護が必要な特定利用者」であると判定されると、当該特定利用者の識別情報に対応する保護者の携帯端末の識別情報を利用して、「前記特定利用者がエレベータにいる」ことを示す報知情報を当該保護者の携帯端末に送信する携帯端末通信処理ステップと、
前記制御装置が、
前記エレベータ管理装置から「保護が必要な特定利用者」の個人情報を受信すると、特定運転として、所定期間は前記乗りかご内に設置されたボタンによるかご呼び操作に応答しないように設定する特定運転処理ステップと
を有することを特徴とするエレベータ管理方法。
【手続補正２】
【補正対象書類名】明細書
【補正対象項目名】０００７
【補正方法】変更
【補正の内容】
【０００７】
上記目的を達成するための実施形態によればエレベータシステムは、エレベータの特定利用者の識別情報を読み取る識別情報読取装置と、特定利用者の保護者に携帯される携帯端末と、エレベータの運転制御を行う制御装置と、エレベータ管理装置とを備える。エレベータ管理装置は、保護者の携帯端末の識別情報を特定利用者の識別情報と対応付けて個人情報として記憶する記憶部と、識別情報読取装置で読み取られた特定利用者の識別情報に対応する個人情報を記憶部から取得して「保護が必要な特定利用者である」か否かを判定する判定部と、特定利用者が「保護が必要な特定利用者」であると判定されると、当該特定利用者の個人情報を制御装置に送信するエレベータ通信処理部と、特定利用者の識別情報に対応する保護者の携帯端末の識別情報を利用して、「特定利用者がエレベータにいる」ことを示す報知情報を当該保護者の携帯端末に送信する携帯端末通信処理部とを有する。制御装置は、エレベータ管理装置から「保護が必要な特定利用者」の個人情報を受信すると、特定運転として、所定期間は前記乗りかご内に設置されたボタンによるかご呼び操作に応答しないように設定する特定運転処理部を有する。